(57)【要約】無線通信システムは、アクセスポイント（ＡＰ）および少なくとも１つのステーションを含む。ＡＰは、周期的スケジューリングインジケータ、圧縮インジケータおよびスケジューリング情報を送信する。周期的スケジューリングインジケータは、周期的伝送がステーションに対してスケジューリングされているか否かを示し、圧縮インジケータは、ステーションに対するスケジューリング情報が圧縮されたスケジューリング情報か否かを示す。ステーションは、フルスケジューリング情報を周期的スケジューリングインジケータ、圧縮インジケータおよびスケジューリング情報に応じて判定する。次に、ステーションは、パケットをフルスケジューリング情報に応じてＡＰに送信する。シグナリングオーバーヘッドの削減が達成される。
2019507976.tif 000002
【特許請求の範囲】
【請求項１】
無線通信システムにおける通信方法であって、前記方法は、
ステーションによって、周期的スケジューリングインジケータ、圧縮インジケータおよびスケジューリング情報をアクセスポイント（ＡＰ）から受信するステップであって、前記周期的スケジューリングインジケータは、周期的伝送が前記ステーションに対してスケジューリングされているか否かを示し、前記圧縮インジケータは、前記ステーションに対する前記スケジューリング情報が圧縮されたスケジューリング情報か否かを示す、ステップと、
前記ステーションによって、フルスケジューリング情報を前記周期的スケジューリングインジケータ、前記圧縮インジケータおよび前記スケジューリング情報に応じて判定するステップと、
前記ステーションによって、パケットを前記フルスケジューリング情報に応じて前記ＡＰに送信するステップと
を含む方法。
【請求項２】
前記周期的スケジューリングインジケータは、トリガーフレームの共通情報フィールド内に位置する、請求項１に記載の方法。
【請求項３】
前記圧縮インジケータは、前記ステーションに関連する前記トリガーフレームのユーザ単位情報フィールド内に位置する、請求項２に記載の方法。
【請求項４】
前記周期的スケジューリングインジケータは、トリガーフレームの第１のユーザ単位情報フィールド内に位置する、請求項１に記載の方法。
【請求項５】
前記圧縮インジケータは、前記ステーションに関連する前記トリガーフレームのユーザ単位情報フィールド内に位置する、請求項４に記載の方法。
【請求項６】
前記周期的スケジューリングインジケータは、前記ステーションに関連するトリガーフレームのユーザ単位情報フィールド内に位置する、請求項１に記載の方法。
【請求項７】
前記圧縮インジケータは、前記ステーションに関連する前記トリガーフレームの前記ユーザ単位情報フィールド内に位置する、請求項６に記載の方法。
【請求項８】
前記圧縮インジケータがフルスケジューリング情報を示す場合、前記フルスケジューリング情報を判定する前記ステップは、
前記ステーションに関連するトリガーフレームのユーザ単位情報フィールド内の前記フルスケジューリング情報を受信するステップを含む、請求項１〜７のいずれか一項に記載の方法。
【請求項９】
前記圧縮インジケータが圧縮されたスケジューリング情報を示す場合、前記フルスケジューリング情報を判定する前記ステップは、
前記ステーションに関連するトリガーフレームのユーザ単位情報フィールド内の前記圧縮されたスケジューリング情報を受信するステップと、
前記フルスケジューリング情報を格納されたフルスケジューリング情報および前記圧縮されたスケジューリング情報に応じて取得するステップと
を含む、請求項１〜７のいずれか一項に記載の方法。
【請求項１０】
前記フルスケジューリング情報を前記ステーション内に格納するステップをさらに含む、請求項１〜７のいずれか一項に記載の方法。
【請求項１１】
無線通信システムにおける通信方法であって、前記方法は、
アクセスポイントによって、周期的スケジューリングインジケータ、圧縮インジケータおよびスケジューリング情報を送信するステップであって、前記周期的スケジューリングインジケータは、周期的伝送がステーションに対してスケジューリングされているか否かを示し、前記圧縮インジケータは、前記ステーションに対する前記スケジューリング情報が圧縮されたスケジューリング情報か否かを示す、ステップと、
前記アクセスポイントによって、パケットを前記スケジューリング情報、前記周期的スケジューリングインジケータ、および前記圧縮インジケータに応じて前記ステーションから受信するステップと
を含む方法。
【請求項１２】
前記周期的スケジューリングインジケータは、トリガーフレームの共通情報フィールド内に位置する、請求項１１に記載の方法。
【請求項１３】
前記周期的スケジューリングインジケータは、前記共通情報フィールドの許可応答タイプ／トリガータイプサブフィールド内に位置する、請求項１２に記載の方法。
【請求項１４】
前記圧縮インジケータは、前記ステーションに関連する前記トリガーフレームのユーザ単位情報フィールド内に位置する、請求項１２に記載の方法。
【請求項１５】
前記周期的スケジューリングインジケータは、トリガーフレームの第１のユーザ単位情報フィールド内に位置する、請求項１１に記載の方法。
【請求項１６】
前記圧縮インジケータは、前記ステーションに関連する前記トリガーフレームのユーザ単位情報フィールド内に位置する、請求項１５に記載の方法。
【請求項１７】
前記周期的スケジューリングインジケータは、前記ステーションに関連するトリガーフレームのユーザ単位情報フィールド内に位置する、請求項１１に記載の方法。
【請求項１８】
前記圧縮インジケータは、前記ステーションに関連する前記トリガーフレームの前記ユーザ単位情報フィールド内に位置する、請求項１７に記載の方法。
【請求項１９】
前記圧縮されたスケジューリング情報は、フルスケジューリング情報のサブセットを含む、請求項１１に記載の方法。
【請求項２０】
前記方法は、
前記アクセスポイントによって、フルスケジューリング情報を含むトリガーフレームのユーザ単位情報フィールドと、後続する、圧縮されたスケジューリング情報を含む前記トリガーフレームのユーザ単位情報フィールドとを一緒に配置するステップを含む、請求項１１〜１９のいずれか一項に記載の方法。
【請求項２１】
無線通信システムにおいて通信するように適合されるステーションであって、前記ステーションは、
プロセッサと、
前記プロセッサによって実行されるプログラミングを格納するコンピュータ可読記憶媒体とを含み、前記プログラミングは前記ステーションを、
周期的スケジューリングインジケータ、圧縮インジケータおよびスケジューリング情報をアクセスポイント（ＡＰ）から受信し、前記周期的スケジューリングインジケータは、周期的伝送が前記ステーションに対してスケジューリングされているか否かを示し、前記圧縮インジケータは、前記ステーションに対する前記スケジューリング情報が圧縮されたスケジューリング情報か否かを示し、
フルスケジューリング情報を前記周期的スケジューリングインジケータ、前記圧縮インジケータおよび前記スケジューリング情報に応じて判定し、
パケットを前記フルスケジューリング情報に応じて前記ＡＰに送信する
ように設定する命令を含む、ステーション。
【請求項２２】
前記圧縮インジケータが圧縮されたスケジューリング情報を示す場合、前記プログラミングは前記ステーションを、
前記ステーションに関連するトリガーフレームのユーザ単位情報フィールド内の前記圧縮されたスケジューリング情報を受信し、
前記フルスケジューリング情報を格納されたフルスケジューリング情報および前記圧縮されたスケジューリング情報に応じて取得する
ように設定する命令を含む、請求項２１に記載のステーション。
【請求項２３】
前記プログラミングは前記ステーションを、
前記フルスケジューリング情報を前記ステーション内に格納するように設定する命令を含む、請求項２１または２２に記載のステーション。
【請求項２４】
無線通信システムにおいて通信するように適合されるアクセスポイントであって、前記アクセスポイントは、
プロセッサと、
前記プロセッサによって実行されるプログラミングを格納するコンピュータ可読記憶媒体とを含み、前記プログラミングは前記アクセスポイントを、
周期的スケジューリングインジケータ、圧縮インジケータおよびスケジューリング情報を送信し、前記周期的スケジューリングインジケータは、周期的伝送がステーションに対してスケジューリングされているか否かを示し、前記圧縮インジケータは、前記ステーションに対する前記スケジューリング情報が圧縮されたスケジューリング情報か否かを示し、
パケットを前記スケジューリング情報、前記周期的スケジューリングインジケータ、および前記圧縮インジケータに応じてステーションから受信する
ように設定する命令を含む、アクセスポイント。
【請求項２５】
前記周期的スケジューリングインジケータは、トリガーフレームの共通情報フィールド内に位置し、前記圧縮インジケータは、前記ステーションに関連する前記トリガーフレームのユーザ単位情報フィールド内に位置する、請求項２４に記載のアクセスポイント。
【請求項２６】
前記周期的スケジューリングインジケータは、トリガーフレームの第１のユーザ単位情報フィールド内に位置し、前記圧縮インジケータは、前記ステーションに関連する前記トリガーフレームのユーザ単位情報フィールド内に位置する、請求項２４に記載のアクセスポイント。
【請求項２７】
前記周期的スケジューリングインジケータおよび前記圧縮インジケータは、前記ステーションに関連するトリガーフレームのユーザ単位情報フィールド内に位置する、請求項２４に記載のアクセスポイント。
【請求項２８】
前記プログラミングは前記アクセスポイントを、
フルスケジューリング情報を含むトリガーフレームのユーザ単位情報フィールドと、後続する、圧縮されたスケジューリング情報を含む前記トリガーフレームのユーザ単位情報フィールドとを一緒に配置するように設定する命令を含む、請求項２４〜２７のいずれか一項に記載のアクセスポイント。
【発明の詳細な説明】
【技術分野】
【０００１】
［関連出願の参照］
本出願は、２０１６年１２月１２日に出願され、かつ「Ｓｙｓｔｅｍ  ａｎｄ  Ｍｅｔｈｏｄ  ｆｏｒ  Ｉｎｄｉｃａｔｉｎｇ  Ｐｅｒｉｏｄｉｃ  Ａｌｌｏｃａｔｉｏｎｓ」と題する米国非仮特許出願第１５／３７６，３８１号の優先権を主張し、米国非仮特許出願第１５／３７６，３８１号は、２０１６年１月１８日に出願され、かつ「Ｓｙｓｔｅｍ  ａｎｄ  Ｍｅｔｈｏｄ  ｆｏｒ  Ｉｎｄｉｃａｔｉｎｇ  Ｐｅｒｉｏｄｉｃ  Ａｌｌｏｃａｔｉｏｎｓ」と題する米国仮特許出願第６２／２８０，００７号の利益を主張するものである。これら各出願は、参照によりその全体が再現されているかのように本明細書に組み込まれるものとする。
【０００２】
本発明は、デジタル通信に関し、特定の実施形態において、周期的割り当てを示すシステムおよび方法に関する。
【背景技術】
【０００３】
無線ローカルエリアネットワーク（ＷＬＡＮ）を使用するデバイスの数は、劇的な増加を続けている。ＷＬＡＮは、ユーザに、有線接続に縛られることなく、高速サービスに接続することを可能にする。ＷＬＡＮは、ＩＥＥＥ８０２．１１シリーズの技術基準に基づく無線通信システムである。典型的には、ＷＬＡＮを使用するデバイスの数が増加するにつれて、ＷＬＡＮ（例えば、アクセスポイント（ＡＰ）およびステーション（ＳＴＡ））内のデバイスの密度も、特に市街地において増加する。ＡＰ（一般に、通信コントローラ、コントローラなどとも呼ばれる）およびステーション（一般に、ユーザ、加入者、端末などとも呼ばれる）の高密度は、特に、元のＷＬＡＮが低密度のＡＰとステーションを想定して設計されているため、ＷＬＡＮの効率を低下させる傾向がある。非効率性の例として、現在使用されている拡張型分散チャネルアクセス（ＥＤＣＡ）ベースのメディアアクセス制御（ＭＡＣ）方式は、一般に、ＡＰおよびステーション密度が高い環境では効率的に動作しない。
【発明の概要】
【０００４】
実施形態の方法は、ステーションによって、周期的スケジューリングインジケータを受信するステップと、ステーションによって、圧縮インジケータを周期的スケジューリングインジケータに応じて受信するステップと、ステーションによって、スケジューリング情報を周期的スケジューリングインジケータおよび圧縮インジケータに応じて判定するステップと、ステーションによって、パケットを送信するリソースの位置をスケジューリング情報に応じて判定するステップと、ステーションによって、パケットをリソースの位置に応じて送信するステップとを含む。
【０００５】
一実施形態において、ステーションは、周期的スケジューリングインジケータ、圧縮インジケータおよびスケジューリング情報をアクセスポイント（ＡＰ）から受信し、周期的スケジューリングインジケータは、周期的伝送がステーションに対してスケジューリングされているか否かを示し、圧縮インジケータは、ステーションに対するスケジューリング情報が圧縮されたスケジューリング情報か否かを示す。ステーションは、フルスケジューリング情報を周期的スケジューリングインジケータ、圧縮インジケータおよびスケジューリング情報に応じて判定し、パケットをフルスケジューリング情報に応じてＡＰに送信する。
【０００６】
実施形態の態様として、圧縮インジケータが圧縮されたスケジューリング情報を示す場合、ステーションは、ステーションに関連するトリガーフレームのユーザ単位情報フィールド内の圧縮されたスケジューリング情報を受信し、フルスケジューリング情報を格納されたフルスケジューリング情報および圧縮されたスケジューリング情報に応じて取得する。
【０００７】
実施形態の別の態様として、ステーションは、フルスケジューリング情報をステーション内に格納する。
【０００８】
実施形態の方法は、アクセスポイントによって、周期的スケジューリングインジケータを送信するステップと、アクセスポイントによって、圧縮インジケータを周期的スケジューリングインジケータに応じて送信するステップと、アクセスポイントによって、スケジューリング情報を周期的スケジューリングインジケータおよび圧縮インジケータに応じて送信するステップと、アクセスポイントによって、パケットをスケジューリング情報に応じてステーションから受信するステップとを含む。
【０００９】
別の実施形態において、アクセスポイントは、周期的スケジューリングインジケータ、圧縮インジケータおよびスケジューリング情報を送信し、周期的スケジューリングインジケータは、周期的伝送がステーションに対してスケジューリングされているか否かを示し、圧縮インジケータは、ステーションに対するスケジューリング情報が圧縮されたスケジューリング情報か否かを示す。アクセスポイントは、パケットをスケジューリング情報、周期的スケジューリングインジケータ、および圧縮インジケータに応じてステーションから受信する。
【００１０】
実施形態の態様として、周期的スケジューリングインジケータは、トリガーフレームの共通情報フィールド内に位置し、圧縮インジケータは、ステーションに関連するトリガーフレームのユーザ単位情報フィールド内に位置する。
【００１１】
実施形態の別の態様として、周期的スケジューリングインジケータは、トリガーフレームの第１のユーザ単位情報フィールド内に位置し、圧縮インジケータは、ステーションに関連するトリガーフレームのユーザ単位情報フィールド内に位置する。
【００１２】
実施形態の別の態様として、周期的スケジューリングインジケータおよび圧縮インジケータは、ステーションに関連するトリガーフレームのユーザ単位情報フィールド内に位置する。
【００１３】
実施形態の別の態様として、アクセスポイントは、フルスケジューリング情報を含むトリガーフレームのユーザ単位情報フィールドと、後続する、圧縮されたスケジューリング情報を含むトリガーフレームのユーザ単位情報フィールドとを一緒に配置する。
【００１４】
実施形態のステーションは、プロセッサと、プロセッサによって実行されるプログラミングを格納するコンピュータ可読記憶媒体とを含む。プログラミングはステーションを、周期的スケジューリングインジケータを受信し、圧縮インジケータを周期的スケジューリングインジケータに応じて受信し、スケジューリング情報を周期的スケジューリングインジケータおよび圧縮インジケータに応じて判定し、パケットを送信するリソースの位置をスケジューリング情報に応じて判定し、パケットをリソースの位置に応じて送信するように設定する命令を含む。
【００１５】
実施形態のステーションは、プロセッサと、プロセッサによって実行されるプログラミングを格納するコンピュータ可読記憶媒体とを含む。プログラミングはステーションを、周期的スケジューリングインジケータ、圧縮インジケータおよびスケジューリング情報をアクセスポイント（ＡＰ）から受信し、周期的スケジューリングインジケータは、周期的伝送がステーションに対してスケジューリングされているか否かを示し、圧縮インジケータは、ステーションに対するスケジューリング情報が圧縮されたスケジューリング情報か否かを示し、フルスケジューリング情報を周期的スケジューリングインジケータ、圧縮インジケータおよびスケジューリング情報に応じて判定し、パケットをフルスケジューリング情報に応じてＡＰに送信するように設定する命令を含む。
【００１６】
実施形態のアクセスポイントは、プロセッサと、プロセッサによって実行されるプログラミングを格納するコンピュータ可読記憶媒体とを含む。プログラミングはアクセスポイントを、周期的スケジューリングインジケータを送信し、圧縮インジケータを周期的スケジューリングインジケータに応じて送信し、スケジューリング情報を周期的スケジューリングインジケータおよび圧縮インジケータに応じて送信し、パケットをスケジューリング情報に応じてステーションから受信するように設定する命令を含む。
【００１７】
実施形態のアクセスポイントは、プロセッサと、プロセッサによって実行されるプログラミングを格納するコンピュータ可読記憶媒体とを含む。プログラミングはアクセスポイントを、周期的スケジューリングインジケータ、圧縮インジケータおよびスケジューリング情報を送信し、周期的スケジューリングインジケータは、周期的伝送がステーションに対してスケジューリングされているか否かを示し、圧縮インジケータは、ステーションに対するスケジューリング情報が圧縮されたスケジューリング情報か否かを示し、パケットをスケジューリング情報、周期的スケジューリングインジケータ、および圧縮インジケータに応じてステーションから受信するように設定する命令を含む。
【００１８】
アクセスポイント（ＡＰ）から周期的スケジューリングインジケータ、圧縮インジケータおよびスケジューリング情報を送信することにより、シグナリングＵＬ伝送に係わるシグナリングオーバーヘッドが削減される。
【００１９】
通信機構が無線通信システムに対するステーションにおいて使用される。通信機構は、周期的スケジューリングインジケータ、圧縮インジケータおよびスケジューリング情報をアクセスポイント（ＡＰ）から受信する受信エレメントを含む。周期的スケジューリングインジケータは、周期的伝送がステーションに対してスケジューリングされているか否かを示す。圧縮インジケータは、ステーションに対するスケジューリング情報が圧縮されたスケジューリング情報か否かを示す。通信機構はまた、周期的スケジューリングインジケータ、圧縮インジケータおよびスケジューリング情報に応じてフルスケジューリング情報を判定する判定エレメントと、パケットをフルスケジューリング情報に応じてＡＰに送信する送信エレメントとを含む。
【図面の簡単な説明】
【００２０】
本開示およびその利点をより完全に理解するために、添付図面との関連でなされる以下の説明を参照する。
【００２１】
【図１】例示的な無線通信システムを示す図である。
【図２】例示的なチャネルアクセスタイミングの図である。
【図３】ＩＥＥＥコントリビューション１１−１５−０１３２ｒ１３に開示されているようなトリガーフレームのフォーマットを示す図である。
【図４Ａ】ＡＰにおいて生じる例示的な動作のフロー図である。
【図４Ｂ】ステーションにおいて生じる例示的な動作のフロー図である。
【図５Ａ】第１の例示的なトリガーフレームを示す図である。
【図５Ｂ】第２の例示的なトリガーフレームを示す図である。
【図６】周期的ＵＬ伝送に関与するデバイスにおいて交換されるメッセージおよび実行される処理を強調するメッセージ交換図である。
【図７Ａ】第３の例示的なトリガーフレームを示す図である。
【図７Ｂ】第４の例示的なトリガーフレームを示す図である。
【図８Ａ】第５の例示的なトリガーフレームを示す図である。
【図８Ｂ】第６の例示的なトリガーフレームを示す図である。
【図９】本明細書で説明される方法を実施する実施形態の処理システムのブロック図である。
【図１０】電気通信網を介して信号の送受信を行うように適合されたトランシーバのブロック図である。
【発明を実施するための形態】
【００２２】
現在の例示的な実施形態の作成および使用については、以下で詳細に説明する。しかしながら、本開示は、多種多様な特定の状況において具体化することができる多数の適用可能な発明概念を提供することを理解されたい。本明細書で論じる特定の実施形態は、実施形態を成し使用する特定の方法の単なる例示であり、本開示の範囲を限定するものではない。
【００２３】
図１は、例示的な無線通信システム１００を示す。無線通信システム１００は、ステーション（ＳＴＡ）１１０、１１２、１１４および１１６などの１つまたは複数のステーションに、ステーションが始める通信を受信して、通信を意図される宛先に転送することにより、またはステーションが宛先となっている通信を受信して、通信を意図されるステーションに転送することによりサービスを提供するアクセスポイント（ＡＰ）１０５を含む。ＡＰ１０５を介する通信に加えて、いくつかのステーションは、それぞれ直接通信し得る。例示的な例として、ステーション１１６は、ステーション１１８へ直接送信してもよい。
【００２４】
通信システムが多数のステーションと通信可能な複数のＡＰを使用し得ることが理解されるが、簡単にするために唯1つのＡＰと多数のステーションが図示されている。
【００２５】
ステーションへおよび／またはからの送信は、共有無線チャネル上で生じる。ＷＬＡＮは、送信を希望するステーションが送信する前に無線チャネルに対するアクセスを競合する必要があるキャリアセンス多重アクセス／衝突回避方式（ＣＳＭＡ／ＣＡ）を利用する。ステーションは、ネットワーク割り当てベクトル（ＮＡＶ）を使用して無線チャネルへのアクセスを競合し得る。ＮＡＶは、無線チャネルがビジーであることを表す第１の値と、無線チャネルがアイドルであることを表す第２の値とに設定され得る。ＮＡＶは、他のステーションおよび／またはＡＰからの伝送の物理的なキャリアセンスおよび／または受信に応じて、ステーションによって設定されてもよい。したがって、無線チャネルに対するアクセスの競合は、ステーションにかなりの時間を費やすことを要求し、それにより無線チャネル利用率および全体的な効率が低下する。さらに、アクセスしようとするステーションの数が増えるにつれて、無線チャネルに対するアクセスの競合が不可能ではないとしても困難になることもある。
【００２６】
図２は、例示的なチャネルアクセスタイミングの図２００を示す。第１のトレース２０５は第１のステーション（ＳＴＡ１）のチャネルアクセスを表し、第２のトレース２０７は第２のステーション（ＳＴＡ２）のチャネルアクセスを表し、第３のトレース２０９は第３のステーション（ＳＴＡ３）のチャネルアクセスを表す。ショートインターフレームスペース（ＳＩＦＳ）は１６マイクロ秒の持続期間を有し、ポイントコオディネーション機能（ＰＣＦ）型インターフレームスペース（ＰＩＦＳ）は２５マイクロ秒の持続期間を有するが、分散型インターフレームスペース（ＤＩＦＳ）はＳＩＦＳまたはＰＩＦＳのどちらよりも長く継続する。バックオフ期間は、ランダム持続期間であってもよい。したがって、ＡＰ／ネットワーク探索を実行しようとするステーションが多数ある場合、アクティブなスキャンが最適な解決策を提供しないこともある。
【００２７】
図２に示すように、ＳＴＡ１は、無線チャネルに対するアクセスを取得することができ、フレーム２１５を送信することができる。ＳＴＡ１がフレーム２１５を送信している間、ＳＴＡ２およびＳＴＡ３の両方が無線チャネルに対するアクセスを試みるが、無線チャネルがビジーであるため、両方とも遅延する（それぞれ、遅延期間２１９および遅延期間２２１）。ＳＴＡ２およびＳＴＡ３は、フレーム２１５の終了後、１つのＤＩＦＳ期間２１７まで遅延する。次に、ＳＴＡ２およびＳＴＡ３は、待機するバックオフ期間をランダムに選択することによって、無線チャネルに対するアクセスの競合を開始する。ステーションのランダムバックオフ期間が終了した後、ステーションは、無線チャンネルに対するアクセスを競合することが許可される。図２に示すように、ＳＴＡ３のランダムバックオフ期間はＳＴＡ２のものよりも短く（期間２２３として示す）、ＳＴＡ３は無線チャネルに対するアクセスを取得することができ、フレーム２２５を送信する。ＳＴＡ２のランダムバックオフ期間（初期バックオフ２２９）中、ＳＴＡ２は、無線チャネルがビジーになったことを検出し、それによりＳＴＡ２は、ランダムバックオフ期間のカウントダウンを停止する。ＳＴＡ２のランダムバックオフ期間の開始からＳＴＡ２のカウントダウン（間隔２２６）プラス残りのバックオフ（間隔２２８）までの時間間隔は、初期バックオフ２２９と呼ばれる。同様に、ＳＴＡ３が送信している間、ＳＴＡ１は、無線チャネルはビジーであることを検出し、フレーム２２５の終了後の１つのＤＩＦＳ期間まで遅延する（遅延期間２２７）。フレーム２２５の終了後の１つのＤＩＦＳ期間後に、ＳＴＡ１およびＳＴＡ２の両方がバックオフを開始し、ＳＴＡ２は以前に停止したランダムバックオフ期間を継続し、ＳＴＡ１は待機するバックオフ期間をランダムに選択する。ＳＴＡ２がランダムバックオフ期間のカウントダウンを再開する時と、ランダムバックオフ期間の終了との間の時間間隔は、残余バックオフ２３１と呼ばれる。残余バックオフ２３１が終了すると、ＳＴＡ２は無線チャンネルに対するアクセスを取得することができ、フレームを送信する。
【００２８】
第３世代パートナーシッププロジェクト（３ＧＰＰ）ロングタームエボリューション（ＬＴＥ）準拠の通信システムなどのセルラ通信システムでは、直交周波数分割多元接続（ＯＦＤＭＡ）が、高密度環境においてロバストな性能を提供できることが示されている。ＯＦＤＭＡは、通信システムの帯域幅の異なる部分で異なるユーザからのトラフィックを実行することによって、複数のユーザを同時にサポートする能力を有する。一般に、ＯＦＤＭＡは、特に個々のユーザからのデータトラフィックが低い場合に、多数のユーザをより効率的にサポートすることができる。具体的には、ＯＦＤＭＡは、あるユーザからのトラフィックが、他のユーザからの送信を行うために未使用の帯域幅を利用することによって、通信システム帯域幅の全体を満たすことができない場合、周波数リソースの浪費を回避することができる。未使用の帯域幅を利用する能力は、通信システムの帯域幅が広範になるにつれて重要になり得る。
【００２９】
同様に、アップリンクマルチユーザ多入力多出力（ＵＬ  ＭＵ−ＭＩＭＯ）もまた、通信システム性能を向上させるために、セルラ通信システム（例えば、３ＧＰＰ  ＬＴＥ）で使用されている。ＵＬ  ＭＵ−ＭＩＭＯは、複数のユーザが同じネットワークリソース（例えば、時間−周波数リソース）上で同時に送信することを可能にし、送信は、スペースで、例えば、異なる空間ストリーム上で分離される。
【００３０】
ＵＬにおけるＯＦＤＭＡ（ＵＬ−ＯＦＤＭＡ）を使用する例としては、ボイスオーバインターネットプロトコル（ＶｏＩＰ）サービスのサポートの提供がある。ＶｏＩＰは、比較的厳格な遅延および待ち時間の必要条件を有するが、各ステーションからのトラフィックは低く、本質的に周期的である（例えば、２０ｍｓ毎に１ステーション当り１パケット）。ステーションがＶｏＩＰパケットを送信するためには、リソースを周期的にスケジューリングしなければならない（例えば、２０ｍｓ毎に１パケット）。すべてのリソースが周期的なスケジューリングメッセージで信号伝達しなければならない場合、大きな通信オーバーヘッドが発生する。
【００３１】
あるいは、周期的リソースは、ＶｏＩＰセッションの開始時にスケジューリングされ、予約されてもよく、したがって、この方式では、周期的スケジューリングメッセージは、２０ｍｓ毎に必要とされないことがある。しかし、ＷＬＡＮシステムに特有のゆるいタイミング精度に関する必要条件のため、ステーションのクロックは時間とともに変動し、通信が継続するとステーション間で同期を失うことになる。さらに、ＵＬ−ＯＦＤＭＡは、複数のステーションの送信された信号が実質的に同時にＡＰの受信機に到着することが必要であるため、同期を失うとＵＬ−ＯＦＤＭＡの障害を引き起こすことになる。
【００３２】
他方、３ＧＰＰ  ＬＴＥ準拠の通信システムは、同じクロックに従う通信システムにおけるすべての進化型ＮｏｄｅＢ（ｅｎＢ）およびユーザ機器（ＵＥ）と同期している。３ＧＰＰ  ＬＴＥ準拠の通信システムでは、周期的なリソースは、半永続的な方法で割り当てられることができる。周期的リソースは、通信の開始時に１回スケジューリングされ得る。通信システムが同期しており、タイミング精度に関する要件がはるかに厳しいため、ＵＬ−ＯＦＤＭＡには問題はない。
【００３３】
２０１５年１月１３日に出願され、「Ｓｙｓｔｅｍ  ａｎｄ  Ｍｅｔｈｏｄ  ｆｏｒ  Ｕｐｌｉｎｋ  ＯＦＤＭＡ  ｔｒａｎｓｍｉｓｓｉｏｎ」と題され、参照により本明細書に組み込まれるものとする共同譲渡された米国特許出願第１４／５９５，９４４号では、ＡＰが、ＭＵ、ＯＦＤＭＡ、ＭＵ−ＭＩＭＯなどのような周期的アップリンク多重ユーザ伝送をトリガーするために短い同期信号（ＳＳＳ）を送信するシステムおよび方法が開示されている。開示されているシステムおよび方法は、一つの周期的ＵＬ  ＭＵ伝送を良好にサポートする。
【００３４】
ＩＥＥＥ８０２．１１では、ＡＰは定期的にビーコンフレームを送信する。ＡＰはまた、ＵＬ−ＯＦＤＭＡおよび／またはＵＬ  ＭＵ−ＭＩＭＯ伝送をトリガーするためにトリガーフレームを送信する。いくつかのタイプのトリガーフレームは、アップリンクスケジューリング情報などの制御情報を含むスタンドアロン型ダウンリンクフレーム、またはアップリンクスケジューリング情報などの制御情報が他のダウンリンクデータと共に送信されるダウンリンクフレームを含み得る。トリガーフレームは、メディアアクセス制御（ＭＡＣ）フレームの形態とされることができる。トリガーフレームはまた、ヌルデータパケット（ＮＤＰ）フレームの形態とされることもできる。
【００３５】
図３は、ＩＥＥＥコントリビューション１１−１５−０１３２ｒ１３に開示されているようなトリガーフレーム３００のフォーマットを示す。トリガーフレーム３００は、フレーム制御（ＦＣ）フィールド、期間フィールド、Ａ１フィールド、Ａ２フィールド、共通情報フィールド、整数Ｎ個までのユーザ単位情報フィールド、およびフレームチェックシーケンス（ＦＣＳ）フィールドを含む。共通情報フィールドは、トリガーフレーム３００において信号伝達されたすべてのステーションに対する情報を含み、一方、Ｎ個のユーザ単位情報フィールドのそれぞれは、対応するステーションだけに対する情報を含む。
【００３６】
共通情報フィールドは、以下のサブフィールド、すなわち
−  長さフィールド（１２ビット）、
−  応答ＵＬ  ＭＵ物理層プロトコルデータユニット（ＰＰＤＵ）（決定される長さ）のＳＩＧ−Ａフィールドの情報ビット内容、
−  サイクリックプレフィックス（ＣＰ）および高効率ロングトレーニングフィールド（ＨＥ  ＬＴＦ）（決定される長さ）、および
−  許可応答タイプ／トリガータイプ（ＡＲＴ／ＴＴ）フィールド（決定される長さ）
を含む。
【００３７】
ユーザ単位情報フィールドは、以下のサブフィールド、すなわち
−  変調符号化方式（ＭＣＳ）フィールド（４ビット）、
−  符号化タイプフィールド（決定される長さ）、
−  リソース単位（ＲＵ）割り当て情報フィールド（決定される長さ）、
−  空間ストリーム（ＳＳ）割り当てフィールド（決定される長さ）、
−  デュアルキャリア変調（ＤＣＭ）フィールド（１ビット）、および
−  ユーザ識別子フィールド（１２ビット）
を含む。
【００３８】
例示的な実施形態によれば、周期的ＵＬ  ＭＵスケジューリングは、低減されたシグナリングオーバーヘッドを有する上述のトリガーフレームフォーマットを使用してサポートされる。例示的な実施形態によれば、トリガーフレームが周期的ＵＬ  ＭＵ伝送をスケジューリングするために使用されることを示すために、周期的スケジューリングインジケータはトリガーフレームに含まれる。周期的スケジューリングインジケータは、すべてのスケジュールされたステーションによって復号可能であり、スケジュールされたステーションは、トリガーフレームが周期的ＵＬ  ＭＵ伝送をスケジューリングするために使用されることを通知される。
【００３９】
例示的な実施形態によれば、圧縮されたスケジューリング情報は、場合によってはシグナリングオーバーヘッドを低減するのに役立つように信号伝達される。一般に、一旦ステーションに対する周期的スケジューリングが設定されると、スケジューリング情報の信号伝達は変更されていない情報の信号伝達を伴うため、スケジューリング情報を繰り返し信号伝達する必要がないこともある。例示的な例として、ＭＣＳ、符号化タイプ、ＲＵ割り当て情報などの多くの通信パラメータは、通常は変化せず、そのようなパラメータを繰り返し信号伝達することは、貴重な通信システムリソースを消費するだけである。したがって、スケジューリング情報の最初の信号伝達（すなわち、フルスケジューリング情報）の後では、スケジューリング情報のサブセット（すなわち、圧縮されたスケジューリング情報）を信号伝達することで十分な場合がある。さらに、１つまたは複数の通信パラメータに変更がある場合、変更された通信パラメータのみが信号送信される。一例として、圧縮されたスケジューリング情報は、スケジューリングされたステーションが自局がトリガーフレームの意図された受信者であることを識別する助けとなるユーザ識別情報だけを含んでもよい。トリガーフレーム内のユーザ識別情報を異なるステーション宛に送る能力は、複数の周期的ＵＬ  ＭＵ伝送の動作のサポートを可能にする。
【００４０】
例示的な実施形態によれば、圧縮インジケータは、特定のスケジューリングされたステーションに関するスケジューリング情報がフルスケジューリング情報であるか（すなわち、スケジューリング情報が周期的通信に必要なすべてのパラメータを含むか）または圧縮された情報であるか（すなわち、スケジューリング情報は、フルスケジューリング情報のサブセットを含むか）を示すために使用される。トリガーフレームによってスケジューリングされたすべてのステーションは、自身の圧縮インジケータを持ち得る。
【００４１】
図４Ａは、ＡＰにおいて生じる例示的な動作４００のフロー図を示す。動作４００は、ＡＰがステーションと通信するとＡＰにおいて生じる動作を示し得る。
【００４２】
動作４００は、ＡＰがステーションにリソースを割り当てることから開始する（ブロック４０５）。リソースは、ステーションに対する周期的伝送に対応し得る。ＡＰは、周期的スケジューリングインジケータを生成してトリガーフレームで送信する（ブロック４１０）。周期的スケジューリングインジケータは、周期的ＵＬ  ＭＵ伝送のような周期的伝送をスケジューリングするためにトリガーフレームが使用されることを示す。ＡＰは、スケジューリングされたステーションに対する圧縮インジケータをトリガーフレームで送信する（ブロック４１５）。圧縮インジケータは、ステーションのスケジューリング情報が圧縮されたスケジューリング情報であるか否かを示す。フルスケジューリング情報を示す圧縮インジケータを有するステーションの場合、ＡＰはフルスケジューリング情報を送信し、圧縮されたスケジューリング情報を示す圧縮インジケータを有するステーションの場合、ＡＰは圧縮されたスケジューリング情報を送信する（ブロック４２０）。ＡＰは、リソースの位置にあるステーションからパケットを受信する（ブロック４２５）。ＡＰは、インジケータおよびスケジューリング情報を搬送するために複数のフレームを送信する代わりに、周期的スケジューリングインジケータ（ブロック４１０）、圧縮インジケータ（ブロック４１５）、およびスケジューリング情報（ブロック４２０）を搬送するためにトリガーフレームを送信し得る。
【００４３】
図４Ｂは、ステーションにおいて生じる例示的な動作４５０のフロー図を示す。動作４５０は、ステーションがＡＰと通信するとステーションにおいて生じる動作を示し得る。
【００４４】
動作４５０は、ステーションが周期的スケジューリングインジケータを受信することから開始する（ブロック４５５）。周期的スケジューリングインジケータは、トリガーフレームで受信されてもよい。周期的スケジューリングインジケータは、トリガーフレームが周期的伝送をスケジューリングするために使用されるか否かを示す。ステーションは、圧縮インジケータを受信する（ブロック４６０）。圧縮インジケータは、ステーションのスケジューリング情報が圧縮されたスケジューリング情報であるか否かを示す。ステーションは、スケジューリング情報を受信する（ブロック４６５）。スケジューリング情報は、フルスケジューリング情報であってもよいし、圧縮インジケータによって示される圧縮されたスケジューリング情報であってもよい。ステーションは、割り当てられたリソースの位置を判定する（ブロック４７０）。割り当てられたリソースの位置の判定は、スケジューリング情報に従う。ステーションがフルスケジューリング情報を受信した場合、割り当てられたリソースの位置は、受信したフルスケジューリング情報から判定され得る。ステーションが圧縮されたスケジューリング情報を受信した場合、割り当てられたリソースの位置は、圧縮されたスケジューリング情報およびステーションによって以前に受信されたフルスケジューリング情報の格納されたバージョンから判定されてもよい。例示的な一例として、ステーションは、圧縮されたスケジューリング情報（ならびに以前に受信された圧縮されたスケジューリング情報）でフルスケジューリング情報の格納されたバージョンを更新し、割り当てられたリソースの位置を決定するため、更新されたフルスケジューリング情報を使用してもよい。ステーションは、割り当てられたリソースの位置でパケットを送信する（ブロック４７５）。ステーションは、インジケータおよびスケジューリング情報を搬送する複数のフレームを受信する代わりに、周期的スケジューリングインジケータ（ブロック４５５）、圧縮インジケータ（ブロック４６０）、およびスケジューリング情報（ブロック４６５）を搬送するトリガーフレームを受信し得る。
【００４５】
例示的な実施形態によれば、周期的スケジューリングインジケータは、トリガーフレームの共通情報フィールド内のＡＰによって信号伝達され、ユーザ固有のスケジューリング情報は、トリガーフレームのユーザ情報フィールドで信号伝達される。
【００４６】
例示的な例として、ＡＰは、トリガーフレームの共通情報フィールド内のＡＲＴ／ＴＴフィールドを利用することによる周期的ＵＬスケジューリングを示す。例えば、規定されたＡＲＴ／ＴＴフィールド値（例えば、すべて０ビットまたはすべて１ビットまたはそれ以外のあるビットシーケンス）は、トリガーフレームが周期的ＵＬ  ＭＵ伝送をスケジューリングするためのものであることを示す。したがって、ＡＲＴ／ＴＴフィールドは、周期的スケジューリングインジケータとして使用される。
【００４７】
共通情報フィールドのＡＲＴ／ＴＴフィールドの値が、トリガーフレームが周期的ＵＬ  ＭＵ伝送をスケジューリングするためのものであることを示す値に設定される場合、トリガーフレーム内のユーザ単位情報フィールドのそれぞれは、フルスケジューリング情報が特定のユーザ単位情報フィールドに含まれているか（圧縮インジケータが第１の値に設定される場合）、または圧縮されたスケジューリング情報が特定のユーザ別情報フィールドに含まれているか（圧縮インジケータが第２の値に設定される場合）を示す圧縮インジケータを含む。
【００４８】
周期的ＵＬスケジューリングのシグナリングオーバーヘッドの総量は低減されることができる。圧縮されたスケジューリング情報の使用は、周期的ＵＬスケジューリングが発生するたびに、ステーションによってすでに首尾よく受信されたフルスケジューリング情報の送信を回避する。
【００４９】
図５Ａは、第１の例示的なトリガーフレーム５００を示す。トリガーフレーム５００は、共通情報フィールド５０５を含む。共通情報フィールド５０５において、ＡＲＴ／ＴＴフィールド５０７は、トリガーフレーム５００が周期的伝送をスケジューリングするために使用されるか否かを示す。言い換えれば、ＡＲＴ／ＴＴフィールド５０７は、周期的スケジューリングインジケータとして使用される。例示的な例として、ＡＲＴ／ＴＴフィールド５０７が指定された値、例えば、すべて０ビットまたはすべて１ビットまたはそれ以外のあるビットシーケンスに設定される場合、トリガーフレーム５００は、周期的伝送をスケジューリングするために使用される。一方、ＡＲＴ／ＴＴフィールド５０７が指定された値に設定されない場合、トリガーフレーム５００は、周期的伝送をスケジューリングするために使用されない。
【００５０】
トリガーフレーム５００が周期的伝送をスケジューリングするために使用される場合、ユーザ単位情報フィールド５１０およびユーザ単位情報フィールド５５などのユーザ単位情報フィールドは、それぞれ、圧縮インジケータ、例えば、ユーザ単位情報フィールド５１０に対する圧縮インジケータ５１２およびユーザ単位情報フィールド５１５に対する圧縮インジケータ５１７を含む。圧縮インジケータは、ユーザ単位情報フィールドに含まれるスケジューリング情報がフルスケジューリング情報であるかまたは圧縮されたスケジューリング情報であるかを示す。図５Ａに示すように、圧縮インジケータ５１２および５１７は両方とも、それぞれのユーザ単位情報フィールドに含まれるスケジューリング情報がフルスケジューリング情報（フルスケジューリング情報５１３およびフルスケジューリング情報５１８）であることを示している。
【００５１】
例示的な実施形態によれば、トリガーフレームのユーザ単位情報フィールドの圧縮インジケータは独立している。トリガーフレームのユーザ単位情報フィールドの圧縮インジケータは、すべて同じ値に設定される必要はない。例示的な例として、ＡＰは、周期的ＵＬ  ＭＵ伝送のためのフルスケジューリング情報を送信した後、（例えば、対応するＵＬ伝送が正しく受信されなかったと判定することによって）スケジューリングされたステーションの一部がフルスケジューリング情報を正しく受信しなかったと判定し、したがって、ＡＰは、これらのスケジューリングされたステーションに対するフルスケジューリング情報を送信し、一方で、圧縮されたスケジューリング情報を、フルスケジューリング情報を首尾よく受信した、スケジューリングされたステーションに送信する。別の例示的な例として、進行中の周期的伝送を伴うステーションに関連する圧縮インジケータは、スケジューリング情報が圧縮されていることを示し、一方、新たに開始された周期的伝送を伴うステーションに関連する圧縮インジケータは、スケジューリング情報がフルであることを示す。他の例示的な例として、通信の開始時に、ＡＰは、周期的ＵＬ  ＭＵ伝送のためのフルスケジューリング情報を示し、それにより、圧縮されたインジケータは、フルスケジューリング情報がユーザ単位情報フィールド内に示されるように設定される。周期的ＵＬ  ＭＵ伝送をスケジューリングする次のトリガーフレームにおいて、ＡＰは、圧縮されたスケジューリング情報がユーザ単位情報フィールド内に示されていることを示すようにユーザ単位情報フィールドに圧縮インジケータを設定することができるため、ユーザ単位情報フィールドのすべてのサブフィールドが含まれているわけではない。例えば、「ユーザ識別子フィールド」（および場合によっては電力制御関連パラメータ）のみが含まれ、ＭＣＳ、符号化タイプ、ＲＵ割り当て情報などの他のサブフィールドは省略され、以前の「フル」スケジューリング指示で指示されるものは、ステーションがトリガーフレームを受信したときに、ステーションによって再使用される。
【００５２】
異なるステーションに対する圧縮指示を独立して設定する能力は、ＡＰが単一のトリガーフレームで異なるステーションにフルスケジューリング情報または圧縮されたスケジューリング情報を柔軟に送信することを可能にする。これにより、ＡＰは、異なるＵＬ伝送状態、例えば、正しく受信するか否か、を有する異なるステーションに対処することが可能になる。
【００５３】
図５Ｂは、第２の例示的なトリガーフレーム５５０を示す。トリガーフレーム５５０は、共通情報フィールド５５５を含む。共通情報フィールド５５５において、ＡＲＴ／ＴＴフィールド５５７は、トリガーフレーム５５０が周期的伝送のスケジューリングに使用されるか否かを示す。例示的な例として、ＡＲＴ／ＴＴフィールド５５７が指定された値、例えば、すべて０ビットまたはすべて１ビットまたはそれ以外のあるビットシーケンスに設定されると、トリガーフレーム５５０は、周期的伝送のスケジューリングに使用される。ＡＲＴ／ＴＴフィールド５５７がその指定された値に設定されない場合、トリガーフレーム５５０は周期的伝送のスケジューリングに使用されない。
【００５４】
トリガーフレーム５５０が周期的伝送をスケジューリングするために使用される場合、ユーザ単位情報フィールド５６０およびユーザ単位情報フィールド５６５のようなユーザ単位情報フィールドは、圧縮インジケータ、例えば、ユーザ単位情報フィールド５６０に対する圧縮インジケータ５６２およびユーザ単位情報フィールド５６５に対する圧縮インジケータ５６７を含む。圧縮インジケータは、ユーザ単位情報フィールドに含まれるスケジューリング情報がフルスケジューリング情報であるかまたは圧縮されたスケジューリング情報であるかを示す。図５Ｂに示されるように、圧縮インジケータ５６２は、それぞれのユーザ単位情報フィールドに含まれるスケジューリングがフルスケジューリング情報（フルスケジューリング情報５６３）であることを示すが、圧縮インジケータ５６７は、それぞれのユーザ単位情報フィールドに含まれるスケジューリング情報が圧縮されたスケジューリング情報（圧縮されたスケジューリング情報５６８）であることを示す。
【００５５】
ステーションは、トリガーフレームを受信した後、トリガーフレームの共通情報フィールド内のＡＲＴ／ＴＴフィールドを調べることによって、トリガーフレームが周期的スケジューリングに使用されているか否かを判定することができる。ステーションは、トリガーフレームが周期的なスケジューリングのために使用されていると判定した場合、対応するユーザ単位情報フィールドのチェックを実行して、ユーザ単位情報フィールド内のスケジューリング情報がフルスケジューリング情報または圧縮された情報を含むか否かを判定する。ステーションは、対応するユーザ単位情報フィールドに位置する圧縮インジケータを調べることによって、この判定を行い得る。
【００５６】
ステーションが、フルスケジューリング情報が含まれていると判定する場合（例えば、圧縮インジケータ＝フル）、ステーションはＵＬ伝送のためにフルスケジューリング情報（例えば、ＭＣＳ、ＲＵ割当など）を使用する。例示的な一例として、ステーションは、ＵＬ伝送の通信パラメータ、ならびにＵＬ伝送のために割り当てられたリソースの位置を判定するためにフルスケジューリング情報を使用する。ステーションはまた、将来の使用のためにフルスケジューリング情報を格納または更新する。
【００５７】
ステーションは、圧縮されたスケジューリング情報が含まれていると判定する（例えば、圧縮インジケータ＝圧縮された）場合、フルスケジューリング情報を判定するために、圧縮されたスケジューリング情報に含まれる任意のあり得る変更と共に格納したフルスケジューリング情報の最新バージョンを更新し、将来の使用のためにフルスケジューリング情報を格納／更新する。ステーションは、フルスケジューリング情報に従ってＵＬトラフィックを送信する。
【００５８】
図６は、周期的ＵＬ伝送に関与するデバイスにおいて交換されるメッセージおよび実行される処理を強調するメッセージ交換図を示す。メッセージ交換図６００は、交換されたメッセージと、ＡＰ６０５およびステーション６１０で実行される処理を表示する。ＡＰ６０５は、ステーションに対する周期的スケジューリング情報、ならびにＵＬ伝送のための割り当てられたリソース、通信パラメータなどを判定する（ブロック６１５）。ＡＰ６０５は、周期的スケジューリング情報（フルまたは圧縮された形式のいずれか）、トリガーフレームが周期的ＵＬ伝送をスケジューリングするために使用されることを示す値に設定された共通情報フィールドセット内の周期的スケジューリングインジケータ、および周期的スケジューリング情報の性質（フルかそれとも圧縮されている）を示すためのユーザ単位情報フィールド内の圧縮インジケータを搬送するトリガーフレームを送信する（イベント６２０として図示されている）。このようなトリガーフレームの例を図５Ａおよび図５Ｂに示す。
【００５９】
ステーション６１０は、共通情報フィールド内の周期的スケジューリングインジケータおよび対応するユーザ単位情報フィールド内の、ステーション６１０に関連する圧縮インジケータに応じて周期的スケジューリング情報を受信する（ブロック６２５）。周期的スケジューリングインジケータが周期的スケジューリングを示し、圧縮インジケータがフルスケジューリング情報を示す場合、ステーション６１０は、ＵＬ伝送のための対応するユーザ単位情報フィールドに含まれるフルスケジューリング情報を使用し、将来の使用のためにフルスケジューリング情報を格納／更新する。周期的スケジューリングインジケータが周期的スケジューリングを示し、圧縮インジケータが圧縮されたスケジューリング情報を示す場合、ステーション６１０は、フルスケジューリング情報を判定するために、圧縮されたスケジューリング情報に含まれる任意のあり得る変更を格納したフルスケジューリング情報の最新バージョンを更新して、将来の使用のためにフルスケジューリング情報を格納／更新する。ステーション６１０は、フルスケジューリング情報に従ってＵＬトラフィックを送信する（イベント６３０として図示されている）。ＵＬトラフィックは、トリガーフレームの終了後の１つのＳＩＦＳ後に送信される。
【００６０】
例示的な実施形態によれば、周期的スケジューリングインジケータは、第１のステーションに関連付けられた第１のユーザ単位情報フィールドで信号伝達され、ユーザ固有のスケジューリング情報は、後続のトリガーフレームのユーザ単位情報フィールドで信号伝達される。共通情報フィールド（具体的には、共通情報フィールドのＡＲＴ／ＴＴフィールド）の代わりに、第１のユーザ単位情報フィールドに周期的スケジューリングインジケータを含めることは、周期的スケジューリングインジケータとして使用されるＡＲＴ／ＴＴフィールドに利用可能な値がない場合に有利であり得る。
【００６１】
図７Ａは、第３の例示的なトリガーフレーム７００を示す。トリガーフレーム７００は、ユーザ単位情報フィールド＃１  ７０５、ユーザ単位情報フィールド＃１  ７１０、ユーザ単位情報フィールド＃Ｎ  ７１５などの複数のユーザ単位情報フィールドを含む。ユーザ単位情報フィールド＃１  ７０５は、周期的伝送をスケジューリングするためにトリガーフレーム７００が使用されるか否かを示す周期的スケジューリングインジケータ７０７を含む。例示的な例として、ユーザ単位情報フィールド＃１  ７０５内のユーザ識別子フィールドは、指定された値（例えば、すべて０ビットまたはすべて１ビットまたはそれ以外のあるビットシーケンス）に設定され、その後、トリガーフレーム７００が周期的伝送をスケジューリングするために使用される。残りのＮ−１個のユーザ単位情報フィールドは、スケジュールされたステーションにユーザ固有のスケジューリング情報を提供するために使用される。一例として、ユーザ単位情報フィールド＃ｉ  ７１０は、ステーション＃ｉー１に対する圧縮インジケータ７１２（フルインジケータ情報が提供されることを示すために図７Ａに示されている）およびフルスケジューリング情報７１３を含み、一方ユーザ単位情報フィールド＃Ｎ  ７１５は、ステーション＃Ｎ−１に対する圧縮インジケータ７１７（圧縮されたスケジューリング情報が提供されることを示すために図７Ａに示されている）および圧縮されたスケジューリング情報７１８を含む。
【００６２】
トリガーフレーム７００が周期的伝送をスケジューリングするために使用されることを示すために周期的スケジューリングインジケータが指定された値に設定される場合、トリガーフレーム内の以下のユーザ単位情報フィールドのそれぞれは、圧縮インジケータと、圧縮インジケータ毎のフルまたは圧縮されたスケジューリング情報とを含む。
【００６３】
トリガーフレームを受信した後に、ステーションは、第１のユーザ単位情報フィールドを調べることによって、周期的伝送をスケジューリングするためにトリガーフレームが使用されるか否かを判定するためにチェックを行う。第１のユーザ単位情報フィールドに含まれる周期的スケジューリングインジケータが、トリガーフレームが周期的伝送をスケジューリングするために使用されていることを示す（例えば、ユーザ識別子フィールドが指定された値に設定される）場合、ステーションは、対応するユーザ単位情報フィールドの圧縮インジケータがフルまたは圧縮されたスケジューリング情報を含むか否かを判定するために対応するユーザ単位情報フィールドを調べる。フルスケジューリング情報が含まれている場合（例えば、圧縮インジケータ＝フル）、ステーションは、ＵＬ伝送のためにフルスケジューリング情報（例えば、ＭＣＳ、ＲＵ割り当てなど）を使用する。例示的な一例として、ステーションは、ＵＬ伝送の通信パラメータ、ならびにＵＬ伝送のために割り当てられたリソースの位置を判定するためにフルスケジューリング情報を使用する。ステーションはまた、将来の使用のためにフルスケジューリング情報を格納または更新する。圧縮されたスケジューリング情報が含まれている（例えば、圧縮インジケータ＝圧縮されている）場合、ステーションは、フルスケジューリング情報を判定するために、圧縮されたスケジューリング情報に含まれる任意のあり得る変更を格納したフルスケジューリング情報の最新バージョンを更新して、将来の使用のためにフルスケジューリング情報を格納／更新する。ステーションは、フルスケジューリング情報に従ってＵＬトラフィックを送信する。
【００６４】
例示的な実施形態によれば、周期的スケジューリングインジケータは、第１のステーションに関連付けられた第１のユーザ単位情報フィールドで信号伝達され、ユーザ固有のスケジューリング情報は、トリガーフレームのすべてのユーザ単位情報フィールドで信号伝達される。第１のユーザ単位情報フィールドにスケジューリング情報および関連する圧縮インジケータを含めることは、シグナリングオーバーヘッドを低減するのに役立つ。
【００６５】
図７Ｂは、第４の例示的なトリガーフレーム７５０を示す。トリガーフレーム７５０は、ユーザ単位情報フィールド＃１  ７５５、ユーザ単位情報フィールド＃ｉ  ７６０、ユーザ単位情報フィールド＃Ｎ  ７６５などの複数のユーザ単位情報フィールドを含む。ユーザ単位情報フィールド＃１  ７５５は、トリガーフレーム７５０が周期的伝送をスケジューリングするために使用されるか否かを示すために周期的スケジューリングインジケータ７５７を含む。ユーザ単位情報フィールド＃１  ７５５はまた、ステーション＃１に対する圧縮インジケータ７５８（フルスケジューリング情報が提供されることを示すために図７Ｂに示されている）およびフルスケジューリング情報７５９を含み、一方ユーザ単位情報フィールド＃ｉ  ７６０は、ステーション＃ｉに対する圧縮インジケータ７６２（フルスケジューリング情報が提供されることを示すために図７Ｂに示されている）およびフルスケジューリング情報７６３を含み、ユーザ単位情報フィールド＃Ｎ  ７６５は、ステーション＃Ｎに対する圧縮インジケータ７６７（圧縮されたスケジューリング情報が提供されることを示すために図７Ｂに示されている）および圧縮されたスケジューリング情報７６８を含む。
【００６６】
例示的な実施形態によれば、周期的スケジューリングインジケータは、ユーザ単位情報フィールドに含まれるスケジューリング情報が周期的スケジューリングに使用されるか否かを示すために、各ユーザ単位情報フィールドに含まれる。例示的な例として、１ビットの周期的スケジューリングインジケータが各ユーザ単位情報フィールドに含まれ、特定のユーザ単位情報フィールド内の周期的スケジューリングインジケータが第１の値（例えば「１」）に設定されている場合、特定のユーザ単位情報フィールドに含まれるスケジューリング情報は、周期的スケジューリングのために使用され、一方、特定のユーザ単位情報フィールドに対する周期的スケジューリングインジケータが第２の値（例えば、「０」）に設定されている場合、特定のユーザ単位情報フィールド内のスケジューリング情報は、周期的スケジューリングのためには使用されない。
【００６７】
例示的な実施形態によれば、特定のユーザ単位情報フィールドの周期的スケジューリングインジケータが、付随するスケジューリング情報が周期的スケジューリングに使用されることを示す場合、特定のユーザ単位情報フィールドはまた、特定のスケジューリング情報がフルスケジューリング情報かまたは圧縮されたスケジューリング情報かを示す圧縮インジケータを含む。個々のユーザ単位情報フィールドに周期的スケジューリングインジケータを含めることは、周期的スケジューリング情報と非周期的スケジューリング情報の両方が単一のトリガーフレームで送信されることを可能にし、ＡＰのスケジューリングの柔軟性をより高めることができる。一例として、非周期的伝送を使用するステーションが多く、周期的伝送を使用するステーションの数が少数にすぎない場合、すべてのトリガーフレームは、典型的にはほとんど発生しないため、周期的伝送をスケジューリングすることのみに専念する必要はない。まれに使用される周期的伝送をスケジューリングするためにすべてのトリガーフレームを専用化することは、信号伝達効率を低下し得る。
【００６８】
トリガーフレームを受信した後、ステーションは、トリガーフレームが、対応するユーザ単位情報フィールドを調べることによって周期的伝送をスケジューリングするために使用されるか否かを判定するためにチェックを行う。対応するユーザ単位情報フィールドに含まれる周期的スケジューリングインジケータが、対応するユーザ単位情報フィールドに含まれるスケジューリング情報が周期的な送信をスケジューリングするために使用されることを示す（例えば、対応するユーザ単位情報フィールド内の周期的スケジューリングインジケータが第１の値に設定される）場合、ステーションは、対応するユーザ単位情報フィールドの圧縮インジケータがフルまたは圧縮されたスケジューリング情報が含まれていることを示すか否かを判定するために、対応するユーザ単位情報フィールドを調べる。フルスケジューリング情報が含まれている（例えば、圧縮インジケータ＝フル）場合、ステーションは、ＵＬ伝送のためにフルスケジューリング情報（例えば、ＭＣＳ、ＲＵ割り当てなど）を使用する。例示的な一例として、ステーションは、ＵＬ伝送の通信パラメータ、ならびにＵＬ伝送のために割り当てられたリソースの位置を判定するためにフルスケジューリング情報を使用する。ステーションはまた、将来の使用のためにフルスケジューリング情報を格納または更新する。圧縮されたスケジューリング情報が含まれている（例えば、圧縮インジケータ＝圧縮されている）場合、ステーションは、フルスケジューリング情報を判定するために、圧縮されたスケジューリング情報に含まれる任意のあり得る変更を格納したフルスケジューリング情報の最新バージョンを更新し、将来の使用のためにフルスケジューリング情報を格納／更新する。ステーションは、フルスケジューリング情報に従ってＵＬトラフィックを送信する。
【００６９】
図８Ａは、第５の例示的なトリガーフレーム８００を示す。トリガーフレーム８００は、ユーザ単位情報フィールド＃１  ８０５およびユーザ単位情報フィールド＃Ｎ  ８１５のような複数のユーザ単位情報フィールドを含む。ユーザ単位情報フィールド＃１  ８０５は、スケジューリング情報が含まれているかどうかを示す周期的スケジューリングインジケータ８０７を含む。ユーザ単位情報フィールド＃１  ８０５は、周期的伝送をスケジューリングするために使用される。例示的な例として、周期的スケジューリングインジケータ８０７が第１の値に設定されている場合、ユーザ単位情報フィールド＃１  ８０５に含まれるスケジューリング情報は、周期的伝送をスケジューリングするために使用される。図８Ａに示されるように、周期的スケジューリングインジケータ８０７は、ユーザ単位情報フィールド＃１  ８０５に含まれるスケジューリング情報が周期的伝送をスケジューリングするために使用され、圧縮インジケータ８０９がフルスケジューリング情報が提供されることを示し、したがって、ユーザ単位情報フィールド＃１  ８０５は、フルスケジューリング情報８１１を含む。図８Ａにも示されているように、ユーザ単位情報フィールド＃Ｎ  ８１５の周期的スケジューリングインジケータ８１７は、ユーザ単位情報フィールド＃Ｎ  ８１５に含まれるスケジューリング情報が周期的伝送をスケジューリングするために使用されることを示すが、圧縮インジケータ８１９は、圧縮されたスケジューリング情報が提供されることを示し、したがって、ユーザ単位情報フィールド＃Ｎ  ８１５は、圧縮スケジューリング情報８２１を含む。
【００７０】
図８Ｂは、第６の例示的なトリガーフレーム８５０を示す。トリガーフレーム８５０は、周期的伝送および非周期的伝送のためのスケジューリング情報を含む。トリガーフレーム８５０は、ユーザ単位情報フィールド＃１  ８５５、ユーザ単位情報フィールド＃ｉ  ８６５、ユーザ単位情報フィールド＃Ｎ  ８７５のような複数のユーザ単位情報フィールドを含む。図８Ｂに示すように、ユーザ単位情報フィールド＃１  ８５５は、非周期的伝送をスケジューリングするために使用され、周期的スケジューリングインジケータ８５７は非周期的スケジューリング情報を示すように設定され、ユーザ情報フィールド＃１  ８５５はフルスケジューリング情報８５９を含む。ユーザ情報＃ｉ  ８６５は、スケジューリング情報で周期的伝送をスケジューリングするために使用され、したがって、周期的スケジューリングインジケータ８６７は、周期的スケジューリング情報を示すように設定され、圧縮インジケータ８６９はフルスケジューリング情報を示すように設定され、ユーザ情報フィールド＃ｉ  ８６５はフルスケジューリング情報８７１を含む。ユーザ情単位報＃Ｎ  ８７５は、圧縮されたスケジューリング情報で周期的伝送をスケジューリングするために使用され、したがって、周期的スケジューリングインジケータ８７７は周期的スケジューリング情報を示すように設定され、圧縮インジケータ８７９は圧縮されたスケジューリング情報を示すように設定され、ユーザ情報フィールド＃Ｎ  ８７５は圧縮されたスケジューリング情報８８１を含む。
【００７１】
例示的な実施形態によれば、トリガーフレームのユーザ単位情報フィールドは、スケジューリング情報タイプによって順序付けられる。言い換えれば、ユーザ単位情報フィールドは、圧縮インジケータに基づいて配置される。例示的な例として、フルスケジューリング情報を示す圧縮インジケータを有するユーザ単位情報フィールドは、トリガーフレームの先頭に配置され、圧縮されたスケジューリング情報を示す圧縮インジケータを有するユーザ単位情報フィールドは、トリガーフレームの末尾に配置される。ユーザ単位情報フィールドを配置することにより、ステーションは、そこに含まれるスケジューリング情報をより容易に処理することができる。例示的な例として、ステーションは、対応するユーザ単位情報フィールドが圧縮されたスケジューリング情報を含むと判定した場合、後続のユーザ単位情報フィールドもまた圧縮されたスケジューリング情報を含むと推定することができ、したがってステーションは、固定サイズと仮定して、スケジューリング情報を処理することができる。
【００７２】
本明細書で開示される例示的な実施形態は、シグナリングオーバーヘッドの低減を伴う伝送の周期的スケジューリングを可能にする。さらに、例示的な実施形態は、ＯＦＤＭＡおよびＭＵ−ＭＩＭＯをＵＬ上で周期的に使用することを可能にし、リソースの効率的な使用を可能にする。
【００７３】
図９は、本明細書で説明される方法であって、ＡＰやステーションなどのホストデバイスにインストールされ得る方法を実施する実施形態の処理システム９００のブロック図を示す。図示のように、処理システム９００は、プロセッサ９０４、メモリ９０６、およびインタフェース９１０、９１２および９１４を含み、これらは図９に示すように配置されても（またはされなくても）よい。プロセッサ９０４は、計算および／または他の処理関連タスクを実行するように適合された任意の構成要素または構成要素の集合であってもよく、メモリ９０６は、プロセッサ９０４による実行されるプログラミングおよび／または命令を記憶するように適合された任意の構成要素または構成要素の集合であってもよい。ある実施形態では、メモリ９０６は、一時的なコンピュータ可読媒体を含む。インタフェース９１０、９１２、９１４は、処理システム９００が他の装置／構成要素および／またはユーザと通信することを可能にする任意の構成要素または構成要素の集合であってもよい。例えば、インタフェース９１０、９１２、９１４のうちの１つまたは複数は、データ、制御、または管理メッセージをプロセッサ９０４から、ホストデバイスおよび／またはリモートデバイスにインストールされたアプリケーションに通信するように適合されてもよい。別の例として、インタフェース９１０、９１２、９１４のうちの１つまたは複数は、ユーザまたはユーザデバイス（例えば、パーソナルコンピュータ（ＰＣ）など）が処理システム９００と相互作用する／通信することを可能にするように適合されてもよい。処理システム９００は、長期ストレージ（例えば、不揮発性メモリなど）のような、図９に示されていない追加の構成要素を含み得る。
【００７４】
いくつかの実施形態では、処理システム９００は、電気通信ネットワークにアクセスしているか、そうでなければその一部であるネットワークデバイスに含まれる。一例では、処理システム９００は、基地局、中継局、スケジューラ、コントローラ、ゲートウェイ、ルータ、アプリケーションサーバ、または通信ネットワーク内の任意の他の装置などの無線または有線電気通信ネットワーク内のネットワーク側デバイスに存在する。他の実施形態では、処理システム９００は、モバイルステーション、ユーザ機器（ＵＥ）、パーソナルコンピュータ（ＰＣ）、タブレット、ウェアラブル通信デバイス（例えば、スマートウォッチなど）、または電気通信ネットワークにアクセスするように適合された任意の他の装置などの無線または有線電気通信ネットワークにアクセスするユーザ側デバイス内に存在する。
【００７５】
いくつかの実施形態では、インタフェース９１０、９１２、９１４のうちの１つまたは複数は、処理システム９００を電気通信ネットワークを介して信号を送受信するように適合されたトランシーバに接続する。
【００７６】
図１０は、電気通信網を介して信号の送受信を行うように適合されたトランシーバ１０００のブロック図を示す。トランシーバ１０００は、ＡＰまたはステーションなどのホストデバイスにインストールすることができる。図示のように、トランシーバ１０００は、ネットワーク側インタフェース１００２、カプラ１００４、送信機１００６、受信機１００８、信号プロセッサ１０１０、およびデバイス側インタフェース１０１２を備える。ネットワーク側インタフェース１００２は、無線または有線電気通信ネットワークを介して信号を送信または受信するように構成された任意の構成要素または構成要素の集合を含み得る。カプラ１００４は、ネットワーク側インタフェース１００２を介した双方向通信を容易にするように構成された任意の構成要素または構成要素の集合を含み得る。送信機１００６は、ベースバンド信号をネットワーク側インタフェース１００２を介した伝送に適する変調された搬送波信号に変換するように適合された任意の構成要素または構成要素（例えば、アップコンバータ、電力増幅器など）の集合を含み得る。受信機１００８は、
ネットワーク側インタフェース１００２を介して受信された搬送波信号をベースバンド信号に変換するように適合された任意の構成要素または構成要素（例えば、ダウンコンバータ、低雑音増幅器など）の集合を含み得る。信号プロセッサ１０１０は、ベースバンド信号をデバイス側インタフェース１０１２を介した通信に適するデータ信号に変換する、あるいはその逆の変換をするように適合された任意の構成要素または構成要素の集合を含み得る。デバイス側インタフェース１０１２は、信号プロセッサ１０１０とホストデバイス内の構成要素（例えば、処理システム９００、ローカルエリアネットワーク（ＬＡＮ）ポートなど）との間でデータ信号を通信するように適合された任意の構成要素または構成要素の集合を含み得る。
【００７７】
トランシーバ１０００は、任意のタイプの通信媒体を介して信号を送受信し得る。いくつかの実施形態では、トランシーバ１０００は、無線媒体を介して信号を送受信する。例えば、トランシーバ１０００は、セルラプロトコル（例えば、ロングタームエボリューション（ＬＴＥ）など）、無線ローカルエリアネットワーク（ＷＬＡＮ）プロトコル（例えば、Ｗｉ−Ｆｉなど）、または任意の他のタイプの無線プロトコル（例えば、Ｂｌｕｅｔｏｏｔｈ、近距離通信（ＮＦＣ）など）などの無線電気通信プロトコルに従って通信するように適合された無線トランシーバであってもよい。そのような実施形態では、ネットワーク側インタフェース１００２は、１つまたは複数のアンテナ／放射素子を備える。例えば、ネットワーク側インタフェース１００２は、単一のアンテナ、複数の別個のアンテナ、または例えば、単一入力多出力（ＳＩＭＯ）、多入力単一出力（ＭＩＳＯ）などの多層通信用に構成されたマルチアンテナアレイを含み得る。他の実施形態では、トランシーバ１０００は、有線媒体、例えば、ツイストペアケーブル、同軸ケーブル、光ファイバなどを介して信号を送受信する。特定の処理システムおよび／またはトランシーバは、示される構成要素のすべて、または構成要素のサブセットのみを利用してもよく、統合化のレベルはデバイスによって異なってもよい。
【００７８】
以下の参考文献は、本出願の主題に関連する。これらの参考文献の各々は、参照によりその全体が本明細書に組み込まれるものとする。 
・  ＩＥＥＥコントリビューション１１−１３−０３３１ｒ５、「Ｈｉｇｈ−ｅｆｆｉｃｉｅｎｃｙ  ＷＬＡＮ」、Ｏｒａｎｇｅ他、
・  ＩＥＥＥコントリビューション１１−１３−０３３９ｒ１０、「Ｈｉｇｈ−ｅｆｆｉｃｉｅｎｃｙ  ＷＬＡＮ  Ｓｔｒａｗ  ｐｏｌｌ」、Ｏｒａｎｇｅ他、
・  米国特許出願第１４／５９５，９４４（Ｈｕａｗｅｉ  ＩＤ  ＨＷ  ９１０１２６２９ＵＳ０２）、「Ｓｙｓｔｅｍ  ａｎｄ  Ｍｅｔｈｏｄ  ｆｏｒ  Ｕｐｌｉｎｋ  ＯＦＤＭＡ  ｔｒａｎｓｍｉｓｓｉｏｎ」、Ｚｈｉｇａｎｇ  Ｒｏｎｇ他、および
・  ＩＥＥＥコントリビューション１１−１５−０１３２ｒ１３、「Ｓｐｅｃｉｆｉｃａｔｉｏｎ  Ｆｒａｍｅｗｏｒｋ  ｆｏｒ  ＴＧａｘ」、Ｉｎｔｅｌ。
【００７９】
本開示は、例示的な実施形態を参照して説明されたが、この説明は、限定的な意味で解釈されることを意図しない。例示的な実施形態の様々な変更および組み合わせ、ならびに本開示の他の実施形態は、説明を参照すれば当業者には明らかであろう。したがって、添付の特許請求の範囲は、そのような変更または実施形態を包含することが意図される。
【図１】
2019507976.tif 000003
【図２】
2019507976.tif 000004
【図３】
2019507976.tif 000005
【図４Ａ】
2019507976.tif 000006
【図４Ｂ】
2019507976.tif 000007
【図５Ａ】
2019507976.tif 000008
【図５Ｂ】
2019507976.tif 000009
【図６】
2019507976.tif 000010
【図７Ａ】
2019507976.tif 000011
【図７Ｂ】
2019507976.tif 000012
【図８Ａ】
2019507976.tif 000013
【図８Ｂ】
2019507976.tif 000014
【図９】
2019507976.tif 000015
【図１０】
2019507976.tif 000016
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
無線通信システムにおける通信方法であって、前記方法は、
ステーションによって、周期的スケジューリングインジケータ、圧縮インジケータおよびスケジューリング情報をアクセスポイント（ＡＰ）から受信するステップであって、前記周期的スケジューリングインジケータは、周期的伝送が前記ステーションに対してスケジューリングされているか否かを示し、前記圧縮インジケータは、前記ステーションに対する前記スケジューリング情報が圧縮されたスケジューリング情報か否かを示す、ステップと、
前記ステーションによって、フルスケジューリング情報を前記周期的スケジューリングインジケータ、前記圧縮インジケータおよび前記スケジューリング情報に応じて判定するステップと、
前記ステーションによって、パケットを前記フルスケジューリング情報に応じて前記ＡＰに送信するステップと
を含む方法。
【請求項２】
無線通信システムにおける通信方法であって、前記方法は、
アクセスポイントによって、周期的スケジューリングインジケータ、圧縮インジケータおよびスケジューリング情報を送信するステップであって、前記周期的スケジューリングインジケータは、周期的伝送がステーションに対してスケジューリングされているか否かを示し、前記圧縮インジケータは、前記ステーションに対する前記スケジューリング情報が圧縮されたスケジューリング情報か否かを示す、ステップと、
前記アクセスポイントによって、パケットを前記スケジューリング情報、前記周期的スケジューリングインジケータ、および前記圧縮インジケータに応じて前記ステーションから受信するステップと
を含む方法。
【請求項３】
無線通信システムにおいて通信するように適合されるステーションであって、前記ステーションは、
プロセッサと、
前記プロセッサによって実行されるプログラミングを格納するコンピュータ可読記憶媒体とを含み、前記プログラミングは前記ステーションを、
周期的スケジューリングインジケータ、圧縮インジケータおよびスケジューリング情報をアクセスポイント（ＡＰ）から受信し、前記周期的スケジューリングインジケータは、周期的伝送が前記ステーションに対してスケジューリングされているか否かを示し、前記圧縮インジケータは、前記ステーションに対する前記スケジューリング情報が圧縮されたスケジューリング情報か否かを示し、
フルスケジューリング情報を前記周期的スケジューリングインジケータ、前記圧縮インジケータおよび前記スケジューリング情報に応じて判定し、
パケットを前記フルスケジューリング情報に応じて前記ＡＰに送信する
ように設定する命令を含む、ステーション。
【請求項４】
前記周期的スケジューリングインジケータは、トリガーフレームの共通情報フィールド内に位置し、または、前記圧縮インジケータは、前記ステーションに関連する前記トリガーフレームのユーザ単位情報フィールド内に位置する、請求項３に記載のステーション。
【請求項５】
前記圧縮インジケータが圧縮されたスケジューリング情報を示す場合、前記プログラミングは前記ステーションを、
前記ステーションに関連するトリガーフレームのユーザ単位情報フィールド内の前記圧縮されたスケジューリング情報を受信し、
前記フルスケジューリング情報を格納されたフルスケジューリング情報および前記圧縮されたスケジューリング情報に応じて取得する
ように設定する命令を含む、請求項３に記載のステーション。
【請求項６】
無線通信システムにおいて通信するように適合されるアクセスポイントであって、前記アクセスポイントは、
プロセッサと、
前記プロセッサによって実行されるプログラミングを格納するコンピュータ可読記憶媒体とを含み、前記プログラミングは前記アクセスポイントを、
周期的スケジューリングインジケータ、圧縮インジケータおよびスケジューリング情報を送信し、前記周期的スケジューリングインジケータは、周期的伝送がステーションに対してスケジューリングされているか否かを示し、前記圧縮インジケータは、前記ステーションに対する前記スケジューリング情報が圧縮されたスケジューリング情報か否かを示し、
パケットを前記スケジューリング情報、前記周期的スケジューリングインジケータ、および前記圧縮インジケータに応じてステーションから受信する
ように設定する命令を含む、アクセスポイント。
【請求項７】
前記周期的スケジューリングインジケータは、トリガーフレームの共通情報フィールド内に位置する、請求項６に記載のアクセスポイント。
【請求項８】
前記周期的スケジューリングインジケータは、前記共通情報フィールドの許可応答タイプ／トリガータイプサブフィールド内に位置する、請求項７に記載のアクセスポイント。
【請求項９】
前記圧縮インジケータは、前記ステーションに関連する前記トリガーフレームのユーザ単位情報フィールド内に位置する、請求項７に記載のアクセスポイント。
【請求項１０】
前記周期的スケジューリングインジケータは、トリガーフレームの第１のユーザ単位情報フィールド内に位置する、請求項６に記載のアクセスポイント。
【請求項１１】
前記圧縮インジケータは、前記ステーションに関連する前記トリガーフレームのユーザ単位情報フィールド内に位置する、請求項１０に記載のアクセスポイント。
【請求項１２】
前記周期的スケジューリングインジケータは、前記ステーションに関連するトリガーフレームのユーザ単位情報フィールド内に位置する、請求項６に記載のアクセスポイント。
【請求項１３】
前記圧縮インジケータは、前記ステーションに関連する前記トリガーフレームの前記ユーザ単位情報フィールド内に位置する、請求項１２に記載のアクセスポイント。
【請求項１４】
前記圧縮されたスケジューリング情報は、フルスケジューリング情報のサブセットを含む、請求項６に記載のアクセスポイント。
【請求項１５】
前記プログラミングは前記アクセスポイントを、
フルスケジューリング情報を含むトリガーフレームのユーザ単位情報フィールドと、後続する、圧縮されたスケジューリング情報を含む前記トリガーフレームのユーザ単位情報フィールドとを一緒に配置するように設定する命令を含む、請求項６〜１４のいずれか一項に記載のアクセスポイント。
【手続補正２】
【補正対象書類名】明細書
【補正対象項目名】００７０
【補正方法】変更
【補正の内容】
【００７０】
図８Ｂは、第６の例示的なトリガーフレーム８５０を示す。トリガーフレーム８５０は、周期的伝送および非周期的伝送のためのスケジューリング情報を含む。トリガーフレーム８５０は、ユーザ単位情報フィールド＃１  ８５５、ユーザ単位情報フィールド＃ｉ  ８６５、ユーザ単位情報フィールド＃Ｎ  ８７５のような複数のユーザ単位情報フィールドを含む。図８Ｂに示すように、ユーザ単位情報フィールド＃１  ８５５は、非周期的伝送をスケジューリングするために使用され、周期的スケジューリングインジケータ８５７は非周期的スケジューリング情報を示すように設定され、ユーザ単位情報フィールド＃１  ８５５はフルスケジューリング情報８５９を含む。ユーザ情報＃ｉ  ８６５は、スケジューリング情報で周期的伝送をスケジューリングするために使用され、したがって、周期的スケジューリングインジケータ８６７は、周期的スケジューリング情報を示すように設定され、圧縮インジケータ８６９はフルスケジューリング情報を示すように設定され、ユーザ単位情報フィールド＃ｉ  ８６５はフルスケジューリング情報８７１を含む。ユーザ情単位報＃Ｎ  ８７５は、圧縮されたスケジューリング情報で周期的伝送をスケジューリングするために使用され、したがって、周期的スケジューリングインジケータ８７７は周期的スケジューリング情報を示すように設定され、圧縮インジケータ８７９は圧縮されたスケジューリング情報を示すように設定され、ユーザ単位情報フィールド＃Ｎ  ８７５は圧縮されたスケジューリング情報８８１を含む。
【国際調査報告】
2019507976.tif 000017
2019507976.tif 000018